(57)【要約】【課題】ダウンロードコンテンツの取得性を向上させる。【解決手段】チューナ部１１で得られた受信信号の復調処理を復調部１２で行い、得られたトランスポートストリームから、多重化されている情報をデマルチプレクサ１３で抽出する。制御部３０は、マルチプレクサ１３で抽出したダウンロード告知情報に基づき、ダウンロードコンテンツの送出期間を判別して、放送受信動作中に送出期間となったとき、チューナ部１１の選局周波数をダウンロードコンテンツが含まれるディジタル放送の周波数に切り替えて、ダウンロードコンテンツを抽出させる。放送受信装置が展示等に用いられていてもダウンロードコンテンツを取得することができるので、不具合を有した状態や新たな機能が利用できない状態で展示等が継続的に行われることを防止することが可能となる。【選択図】        図１
2008148231.tif 000002
【特許請求の範囲】
【請求項１】
ディジタル放送の選局を行い受信信号を出力するチューナ部と、
前記受信信号の復調処理を行いデータストリームを出力する復調部と、
前記データストリームから多重化されている情報を抽出する抽出部と、
ユーザ操作に応じた操作信号を生成するユーザインタフェース部と、
前記操作信号に応じて前記チューナ部と前記抽出部の制御を行う制御部を有し、
前記制御部は、前記抽出部で抽出したダウンロード告知情報に基づき、ダウンロードコンテンツの送出期間を判別して、放送受信動作中に前記送出期間となったとき、前記チューナ部の選局周波数を前記ダウンロードコンテンツが含まれるディジタル放送の周波数に切り替えて、前記抽出部によって前記ダウンロードコンテンツを抽出させる
ことを特徴とする放送受信装置。
【請求項２】
前記制御部は、前記ダウンロードコンテンツの抽出中に、前記チューナ部の選局周波数の切替操作を示す操作信号が供給されたとき、前記ダウンロードコンテンツの抽出を中止させて前記チューナ部の選局周波数の切り替えを行い、その後、前記ダウンロードコンテンツの送出期間中に、前記チューナ部の選局周波数を前記ダウンロードコンテンツが含まれるディジタル放送の周波数とする切替操作を示す操作信号が供給されたとき、前記チューナ部の選局周波数を前記ダウンロードコンテンツが含まれるディジタル放送の周波数に切り替えて、前記ダウンロードコンテンツの抽出を再開させる
ことを特徴とする請求項１記載の放送受信装置。
【請求項３】
前記ダウンロードコンテンツを蓄積するメモリ部を有し、
前記制御部は、前記メモリ部に蓄積された前記ダウンロードコンテンツが完結していないとき、その後の前記送出期間で前記ダウンロードコンテンツにおける不足する情報を前記抽出部で抽出させて前記メモリ部に蓄積させる
ことを特徴とする請求項１記載の放送受信装置。
【請求項４】
前記制御部は、前記ダウンロードコンテンツの抽出中に、前記チューナ部の選局周波数の切替操作を示す操作信号が供給されていない場合、前記送出期間が終了したとき、前記チューナ部の選局周波数を、前記ダウンロードコンテンツが含まれるディジタル放送の周波数に切り替える前の選局周波数に切り替える
ことを特徴とする請求項１記載の放送受信装置。
【請求項５】
前記制御部は、前記送出期間よりも予め設定された期間前に、選局周波数の切り替え通知を行い、該通知から前記送出期間までの期間中に、前記選局周波数の切り替えの中止を示す操作信号が供給されたとき、前記選局周波数の切り替えと前記ダウンロードコンテンツの抽出を中止する
ことを特徴とする請求項１記載の放送受信装置。
【請求項６】
前記制御部は、動作モードが予め指定されたモードに設定されている状態で前記送出期間となったとき、前記チューナ部の選局周波数を前記ダウンロードコンテンツが含まれるディジタル放送の周波数に切り替えて、前記抽出部によって前記ダウンロードコンテンツを抽出させる
ことを特徴とする請求項１記載の放送受信装置。
【請求項７】
ディジタル放送の選局を行って受信信号を得る受信ステップと、
前記受信ステップで得られた前記受信信号の復調処理を行いデータストリームを得る復調ステップと、
前記復調ステップで得られた前記データストリームから多重化されている情報の抽出を行う抽出ステップと、
前記抽出ステップで抽出したダウンロード告知情報に基づき、ダウンロードコンテンツの送出期間を判別し、放送受信動作中に前記送出期間となったとき、選局周波数を前記ダウンロードコンテンツが含まれるディジタル放送の周波数に切り替えて、前記ダウンロードコンテンツを抽出させる制御ステップを有する
ことを特徴とするダウンロードコンテンツ取得方法。
【発明の詳細な説明】
【技術分野】
【０００１】
この発明は、放送受信装置とダウンロードコンテンツ取得方法に関する。詳しくは、放送を受信して得られたデータストリームから抽出したダウンロード告知情報に基づき、ダウンロードコンテンツの送出期間を判別し、放送受信動作中に送出期間となったとき、選局周波数をダウンロードコンテンツが含まれる放送の選局周波数に切り替えて、ダウンロードコンテンツを取得するものである。
【背景技術】
【０００２】
ディジタル放送では、放送番組のコンテンツデータを提供するサービスだけでなく、ダウンロードコンテンツを提供するサービスが行われている。このダウンロードコンテンツは、ディジタル放送を受信する放送受信装置毎に用いられているソフトウェアの更新・追加や各放送受信装置で共通に用いられているデータ（例えば、電子番組表で表示される放送事業者のロゴマークや番組ジャンルコード等）の更新等を行うためのものであり、所定日数、所定時間間隔で定期的に繰り返し送出されている。
【０００３】
このようなダウンロードコンテンツを利用する場合、放送を受信するチューナ部がひとつだけ設けられている放送受信装置では、特許文献１に記載されているように、ユーザが放送受信装置を使用していないときや、特許文献２に開示されているように、放送受信装置が電源オフ状態とされているときに、ダウンロードコンテンツを取得する処理が行われている。
【０００４】
【特許文献１】特開２００２−１９６９４３号公報
【特許文献２】特開２００６−５４５２２号公報
【発明の開示】
【発明が解決しようとする課題】
【０００５】
ところで、ユーザが放送受信装置を使用していないときや、放送受信装置が電源オフ状態とされているときにダウンロードコンテンツを取得する放送受信装置では、例えば店頭でデモンストレーション動作等に用いられているときに、ダウンロードコンテンツを取得できない場合が生じてしまう。すなわち、放送受信装置を販売している店舗などでは、営業中にデモンストレーション動作として何らかの放送番組を常に視聴している場合があり、放送番組を常に視聴していると、営業中にダウンロードコンテンツを取得することができない。また、電力消費を少なくするため、放送受信装置に対する電力の供給が営業終了後に停止されてしまうと、営業終了後にダウンロードコンテンツを取得することもできなくなる。
【０００６】
このようにダウンロードコンテンツを取得することができないと、例えば放送受信装置のソフトウェアに不具合が生じていても、ソフトウェアをアップグレードして不具合を解決することができない。したがって、不具合の解決されたソフトウェアが提供されているにもかかわらず、不具合を有した状態で放送受信装置の展示が行われることとなる。また、ソフトウェアをアップグレードすることで新たな機能が利用可能となる場合にも、新たな機能が利用できない状態で放送受信装置の展示が行われることとなる。このため、販売店に不利益を被らせたり、放送受信装置に対するユーザの評価を低下させてしまうおそれがある。
【０００７】
そこで、この発明ではダウンロードコンテンツの取得性を向上させた放送受信装置およびダウンロードコンテンツ取得方法を提供するものである。
【課題を解決するための手段】
【０００８】
この発明の概念は、ディジタル放送の選局を行い受信信号を出力するチューナ部と、受信信号の復調処理を行いデータストリームを出力する復調部と、データストリームから多重化されている情報を抽出する抽出部と、ユーザ操作に応じた操作信号を生成するユーザインタフェース部と、操作信号に応じてチューナ部と抽出部の制御を行う制御部を有し、制御部は、抽出部で抽出したダウンロード告知情報に基づき、ダウンロードコンテンツの送出期間を判別して、放送受信動作中に送出期間となったとき、チューナ部の選局周波数をダウンロードコンテンツが含まれるディジタル放送の周波数に切り替えて、抽出部によってダウンロードコンテンツを抽出させる放送受信装置にある。また、ディジタル放送の選局を行って受信信号を得る受信ステップと、受信ステップで得られた受信信号の復調処理を行いデータストリームを得る復調ステップと、復調ステップで得られたデータストリームから多重化されている情報の抽出を行う抽出ステップと、抽出ステップで抽出したダウンロード告知情報に基づき、ダウンロードコンテンツの送出期間を判別し、放送受信動作中に送出期間となったとき、選局周波数をダウンロードコンテンツが含まれるディジタル放送の周波数に切り替えて、ダウンロードコンテンツを抽出させる制御ステップを有するダウンロードコンテンツ取得方法にある。
【０００９】
この発明において、制御部では、抽出したダウンロード告知情報に基づきダウンロードコンテンツの送出期間を判別して、この送出期間よりも予め設定された期間前に、選局周波数の切り替え通知を行う。ここで、通知から送出期間までの期間中に、選局周波数の切り替えの中止を示す操作信号が供給されていない場合、制御部は送出期間となったときに放送受信動作中のチューナ部の選局周波数をダウンロードコンテンツが含まれるディジタル放送の周波数に切り替えて、抽出部によってダウンロードコンテンツを抽出させる。さらに抽出したダウンロードコンテンツをメモリ部に記憶させる。また、ダウンロードコンテンツの抽出中に、チューナ部の選局周波数の切替操作を示す操作信号が供給されたとき、ダウンロードコンテンツの抽出を中止してチューナ部の選局周波数の切り替えを行う。その後、ダウンロードコンテンツの送出期間中に、チューナ部の選局周波数をダウンロードコンテンツが含まれるディジタル放送の周波数とする切替操作を示す操作信号が供給されたとき、チューナ部の選局周波数をダウンロードコンテンツが含まれるディジタル放送の周波数に切り替えて、ダウンロードコンテンツの抽出を再開させる。メモリ部に蓄積されたダウンロードコンテンツが完結していないとき、その後の送出期間でダウンロードコンテンツにおける不足する情報を抽出させる。また、ダウンロードコンテンツの抽出中に、選局周波数の切替操作が行われていない場合、送出期間が終了したとき、チューナ部の選局周波数がダウンロードコンテンツが含まれるディジタル放送の周波数に切り替える前の周波数に戻される。
【発明の効果】
【００１０】
この発明によれば、放送を受信して得られたデータストリームから抽出したダウンロード告知情報に基づき、ダウンロードコンテンツの送出期間の判別が行われて、放送受信動作中に送出期間となったとき、選局周波数をダウンロードコンテンツが含まれる放送の選局周波数に切り替えて、ダウンロードコンテンツが取得される。
【００１１】
このため、ダウンロードコンテンツの取得性が向上して、放送受信装置が展示等に用いられていてもダウンロードコンテンツを取得することが可能となり、不具合を有した状態や新たな機能が利用できない状態での展示が継続的に行われてしまうことを防止できる。
【発明を実施するための最良の形態】
【００１２】
以下、図を参照しながら、この発明の実施の一形態について説明する。図１は放送受信装置の概略構成を示している。
【００１３】
アンテナ（図示せず）でディジタル放送を受信して得られた放送信号ＳRFは、放送受信装置１０のチューナ部１１に供給される。チューナ部１１は、放送信号ＳRFから後述する制御部３０より供給された制御信号ＣＴによって指示された選局周波数のチャネルを選局する。また、選局を行うことにより得られた受信信号Ｓtuを復調部１２に供給する。
【００１４】
復調部１２は、受信信号Ｓtuに対してディジタル復調処理、誤り訂正処理、デインタリーブ処理やデスクランブル処理等を行い、得られたデータストリームＴＳを抽出部であるデマルチプレクサ１３に供給する。
【００１５】
デマルチプレクサ１３は、データストリーム例えばＭＰＥＧ(Moving Picture Experts Group)−２システムのフォーマットで用いられているトランスポートストリームＴＳから目的とする編成チャネルの映像データや音声データのパケットを抽出して、パケットに含まれている映像データＤＥvや音声データＤＥaをデコーダ１４に供給する。また、トランスポートストリームＴＳからデータ放送や番組特定情報(ＰＳＩ:Program Specific Information)や番組配列情報(ＳＩ:Service Information)等のセクション情報のパケットＣＰを抽出して制御部３０に供給する。このパケットＣＰの抽出は、後述するようにパケットヘッダに設けられているＰＩＤ(Packet Identification)を利用して行う。
【００１６】
デコーダ１４は、映像データＤＥvの復号を行い、復号後の映像データＤvを映像提示処理部１５に供給する。また、デコーダ１４は音声データＤＥaの復号を行い、復号後の音声データＤaを音声出力処理部１７に供給する。
【００１７】
映像提示処理部１５は、映像データＤvに基づいて表示駆動信号ＨＲを生成して表示装置１６に供給する。また、映像提示処理部１５は、映像データＤvだけでなく静止画を表示するための静止画プレーンの信号や文字や図形を表示するための文字図形プレーンの信号、および字幕を表示するための字幕プレーンの信号等について切り換えや混合を行い表示駆動信号ＨＲを生成することで、放送コンテンツの映像だけでなく、種々の情報も表示可能とする。
【００１８】
表示装置１６は、表示駆動信号ＨＲに基づいて表示デバイスを駆動することで、表示デバイスの画面上に、番組の映像や静止画、字幕、メッセージ等の表示を行う。なお、静止画プレーンや文字図形プレーンおよび字幕プレーンの信号は、制御部３０から制御信号ＣＴとして供給するものとしてもよく、また制御部３０からの制御信号ＣＴに基づいて映像提示処理部１５で生成するものとしてもよい。
【００１９】
音声出力処理部１７は、デコーダ１４から供給された音声データＤaをアナログの音声信号Ｓaに変換したのち所望の信号レベルとしてスピーカ１８に供給することで音声出力を行う。
【００２０】
チューナ部１１や復調部１２、デマルチプレクサ１３、デコーダ１４、映像提示処理部１５、音声出力処理部１７は、バス２０を介して制御部３０と接続されている。
【００２１】
制御部３０には、ユーザインタフェース部３１や時計部３２、メモリ部３３が接続されている。ユーザインタフェース部３１は、操作キーやリモートコントロール装置（図示せず）から送信されたリモートコントロール信号を受信するためのリモートコントロール信号受信部で構成されている。ユーザインタフェース部３１は、ユーザインタフェース部３１に設けられている操作キーのキー操作に応じた操作信号ＰＳを生成して制御部３０に供給する。あるいは、リモートコントロール装置に設けられている操作キーのキー操作に応じて送信されたリモートコントロール信号を受信して、この受信したリモートコントロール信号に基づく操作信号ＰＳを生成して制御部３０に供給する。また、時計部３２は、現在時刻を示す時刻情報を生成するものであり、生成した時刻情報ＴＭを制御部３０に供給する。
【００２２】
メモリ部３３は、不揮発性メモリ部３３ａと揮発性メモリ部３３ｂを有している。不揮発性メモリ部３３ａは、ＥＥＰＲＯＭ(Electronically Erasable and Programmable Read Only Memory)等を用いて構成されており、放送受信装置１０を動作させるための種々のソフトウェアや、放送受信装置１０で種々の動作を行うために用いられるデータ、放送受信装置１０の設定状態を示すデータ等が記憶される。揮発性メモリ部３３ｂはＲＡＭ(Random Access Memory)を用いて構成されており、放送受信装置１０で種々の動作を行う際のワーキング領域として用いられる。
【００２３】
制御部３０はマイクロコンピュータ等で構成されており、放送受信装置１０に対する電力供給が開始されたとき、あるいは放送受信装置１０の主電源スイッチがオン状態とされて制御部３０等に対する電力供給が開始されたとき、不揮発性メモリ部３３ａから種々のソフトウェアを読み出して実行したり読み出したデータを利用して制御信号ＣＴの生成を行い、生成した制御信号ＣＴを各部に供給して放送受信装置１０の動作を開始させる。その後、ユーザインタフェース部３１からの操作信号ＰＳに基づいた制御信号ＣＴの生成を行うことで、放送受信装置１０の動作がユーザ操作に応じた動作となるように制御する。また制御部３０は、ユーザ操作に応じて放送受信装置１０を動作させる際に、放送局側から送出された例えば番組特定情報(ＰＳＩ:Program Specific Information)や番組配列情報(ＳＩ:Service Information)を利用して制御を行う。さらに、制御部３０は、セクション情報や時刻情報ＴＭ等を用いて放送受信装置１０の動作を制御することも行う。
【００２４】
図２はトランスポートストリームの構成を示している。トランスポートストリームＴＳは、図２の（Ａ）に示すようにＴＳパケットと呼ばれる１８８バイト固定長のパケットが連続する構成とされている。このトランスポートストリームＴＳでは、放送番組の映像や音声等のＴＳパケットだけでなく、番組特定情報や番組配列情報のＴＳパケットも設けられている。
【００２５】
ＴＳパケットは、固定長のＴＳヘッダ（４バイト）とアダプテーション・フィールドまたはＴＳペイロード（１８４バイト）から構成されている。ＴＳヘッダには、図２の（Ｂ）に示すように、１３ビットのＰＩＤ(Packet Identifier)と呼ばれる識別符号領域が設けられており、このＰＩＤによって、ＴＳパケットがどのようなパケットであるかが識別可能とされている。例えばＰＩＤが「０ｘ００００」であるときはＰＡＴ(Program Association Table)のパケットであることが示される。ＰＡＴのパケットは、放送番組に関連するＰＭＴを伝送するＴＳパケットのＰＩＤやＤＳＭ−ＣＣ(Digital Storage Media Command and Control)のパケットを示すＰＩＤを示したものである。ＰＩＤが「０ｘ００１０」であるときはＮＩＴ(Network Information Table)のパケットであることが示される。このＮＩＴのパケットは、編成チャネルの情報や周波数などの伝送路情報を示すものである。ＰＩＤが「０ｘ００２３」であるときはＳＤＴＴ(Software Download Trigger Table)のパケットであることが示される。ＳＤＴＴのパケットは、ダウンロードコンテンツの送出を告知するダウンロード告知情報を示したものであり、ダウンロードコンテンツとは、ソフトウェアの更新・追加や全受信装置で共通に使用されるデータの更新等を行うためのものである。
【００２６】
ダウンロードコンテンツには、データ量情報や誤り検出情報（例えばチェックサム）が設けられており、データ量情報や誤り検出情報を用いることで、ダウンロード後のダウンロードコンテンツが誤りなく完結しているか否か判別できるようになされている。また、どのようなソフトウェアやデータでダウンロードコンテンツが構成されているかを示す構成情報をダウンロードコンテンツに設けておき、ダウンロードコンテンツが完結していないとき、何れのソフトウェアやデータが完結していないか判別可能とされている。
【００２７】
このように、トランスポートストリームＴＳに設けられている番組特定情報や番組配列情報のＴＳパケットをデマルチプレクサ１３で抽出して、番組特定情報や番組配列情報を不揮発性メモリ部３３ａに記憶するものとして、制御部３０は、不揮発性メモリ部３３ａに記憶された番組特定情報や番組配列情報を利用して、放送受信装置１０を動作させる。
【００２８】
なお、制御部３０は、動作終了操作が行われたとき、この動作終了操作が行われたときの設定状態等を示すデータを不揮発性メモリ部３３ａに記憶させるものとして、この不揮発性メモリ部３３ａに記憶させたデータを、放送受信装置１０の動作の再開時に読み出すことで、動作終了時の状態で動作を再開させる。
【００２９】
次に、放送受信装置の動作について説明する。所望の放送コンテンツを視聴する放送受信動作の場合、制御部３０は所望の放送コンテンツが含まれるストリームを得ることができるように、制御信号ＣＴを生成してチューナ部１１に供給する。すなわち、制御部３０は、所望の放送コンテンツの放送で用いられているキャリア周波数をＮＩＴの情報に基づき判別して、この判別したキャリア周波数を選局するように制御信号ＣＴを生成してチューナ部１１に供給する。
【００３０】
チューナ部１１は、制御信号ＣＴによって指示された選局周波数で選局動作を行い、得られた受信信号を復調部１２に供給する。復調部１２では、受信信号の復調処理等を行い、得られたトランスポートストリームＴＳをデマルチプレクサ１３に供給する。
【００３１】
デマルチプレクサ１３は、制御部３０から供給された制御信号ＣＴに基づきＴＳパケットの抽出を行う。ここで、制御部３０は、ＰＡＴによって示されたチャネルの詳細情報に基づき、所望の放送コンテンツの編成チャネルに関するＰＭＴのＰＩＤを判別して、この判別結果に基づき、所望の放送コンテンツの編成チャネルに関するＰＭＴを取得する。このＰＭＴでは、その編成チャネルで送られてくる映像や音声等のＰＩＤが示されていることから、このＰＩＤのパケットを抽出するように制御信号を制御部３０で生成してデマルチプレクサ１３に供給する。このため、デマルチプレクサ１３では、所望の放送コンテンツの映像や音声等のパケットが抽出されることとなる。したがって、映像のパケットを抽出して、このパケットに含まれている映像データをデコーダ１４に供給することで、所望の放送コンテンツの映像を表示装置１６で表示できる。また、音声のパケットを抽出して、このパケットに含まれている音声データをデコーダ１４に供給することで、所望の放送コンテンツの音声をスピーカ１８から出力させることができる。
【００３２】
次に、ソフトウェアの更新・追加や全受信装置で共通に使用されるデータの更新等を行う場合について説明する。
【００３３】
制御部３０は、デマルチプレクサ１３で抽出したＳＤＴＴの告知情報に基づきダウンロードコンテンツの取得タイミングを判別する。さらに、放送受信動作中に時計部３２で示された現在時刻がダウンロードコンテンツの送出開始時刻よりも予め設定した時間前となったときには、ダウンロードコンテンツの自動取得表示を行う。さらに、制御部３０はダウンロードコンテンツの自動取得動作を中止するユーザ操作が行われていない場合、ダウンロードコンテンツの送出開始時刻となったとき、ダウンロードコンテンツの自動取得を行い、ダウンロードコンテンツの取得が完結したときに、ソフトウェアの更新・追加や全受信装置で共通に使用されるデータの更新等を行う。
【００３４】
ダウンロード告知情報を示すＳＤＴＴやダウンロードコンテンツを示すＤＳＭ−ＣＣは、セクション形式のデータとされている。図３は、ＳＤＴＴの構成を示している。テーブルＩＤは、何れのテーブルのデータであるかを識別可能とするためのものであり、ＳＤＴＴではテーブルＩＤが「０ｘＣ３」に設定される。製造メーカーＩＤは、ダウンロード告知情報が何れの製造メーカーの受信装置に対するものかを示すものである。機器モデルＩＤは、ダウンロード告知情報が受信装置の何れのモデルに対するものかを示すものである。トランスポートストリームＩＤは、ダウンロードを行うサービスチャネルが含まれるトランスポートストリームを識別するための情報を示すものである。ネットワークＩＤは、ダウンロード行うサービスチャネルが含まれるトランスポートストリームの元のネットワーク識別番号を示すものである。サービスＩＤは、ダウンロード行うサービスチャネルの識別番号を示すものである。開始時間はダウンロードコンテンツの送出が開始される時間を示しており、継続時間はダウンロードコンテンツの送出が行われている期間を示している。なお、ＳＤＴＴでは、アップデートの対象となるソフトウェアのバージョン番号やダウンロードされるソフトウェアのバージョン番号、強制ダウンロードを行うか任意ダウンロードを行うか等の情報も示される。
【００３５】
ダウンロードコンテンツは、国際規格（ISO/IEC 13818-6)として標準化されているＤＳＭ−ＣＣデータカルーセルにしたがって伝送されるものである。ＤＳＭ−ＣＣデータカルーセルでは、伝送するデータが「モジュール」という単位で管理されている。各モジュールは一定の大きさに収まるよう複数の「ブロック」に分割されており、それぞれのブロックは「ＤＤＢ(Download Data Block)メッセージ」として、どのモジュールにおける何番目のブロックであるかを示す情報が付加された上で伝送されている。また、ＤＳＭ−ＣＣデータカルーセル全体の構造を示す情報として、ＤＳＭ−ＣＣデータカルーセルに含まれているモジュールの数やそれぞれモジュールに関する情報などが、「ＤＩＩ(Download Info Indication)メッセージ」して伝送される。
【００３６】
図４および図５は、ダウンロードコンテンツの取得動作を示すフローチャートである。ステップＳＴ１で制御部３０は、ＳＤＴＴの情報を取得してステップＳＴ２に進む。
【００３７】
ステップＳＴ２で制御部３０は、ダウンロードコンテンツを取得するか否か判別する。例えば、ＳＤＴＴの情報で示された製造メーカーＩＤや機器モデルＩＤが該当しない場合、あるいは該当してもソフトウェアのバーションが対象でない場合、全受信装置で共通に使用されるデータの更新が完了している場合等のように、ダウンロードコンテンツが必要ないときは、ダウンロードコンテンツの取得動作を終了する。また、ＳＤＴＴの情報で示された製造メーカーＩＤや機器モデルＩＤが該当しており、ソフトウェアのバーションも対象である場合、全受信装置で共通に使用されるデータの更新が完了していない場合等のように、ダウンロードコンテンツが必要なときは、ステップＳＴ３に進む。
【００３８】
ステップＳＴ３で制御部３０は、ダウンロードコンテンツの自動取得表示に対するタイマー設定を行う。すなわち、制御部３０は、必要とされるダウンロードコンテンツの送出開始時刻をＳＤＴＴの情報から判別して、この送出開始時刻よりも予め設定した時間前、例えばユーザが自動取得表示を読み取ることができる１〜数分程度前の時刻を、ダウンロードコンテンツの自動取得表示の表示タイミングとして設定してステップＳＴ４に進む。
【００３９】
ステップＳＴ４で制御部３０は、タイマー設定時刻となったか否かを判別する。ここで、時計部３２によって示された現在時刻が、ステップＳＴ３で設定した時刻となっていないときにはステップＳＴ４に戻り、ステップＳＴ３で設定した時刻以降となったときはステップＳＴ５に進む。
【００４０】
ステップＳＴ５で制御部３０は、ダウンロード自動取得表示を行う。すなわち、制御部３０は映像提示処理部１５の動作を制御して、表示装置１６の画面上に、ダウンロードコンテンツの自動取得を行う旨の表示を行う。この表示は、ダウンロードコンテンツの取得のため、放送受信装置のチャネルが自動で切り替わることが理解される内容であれば良い。また、チャネル切り替え後に得られるトランスポートストリームの名称等を表示すれば、どのようなトランスポートストリームを自動的に受信するのかユーザがダウンロード前に把握することが可能となる。さらに、制御部３０は、ダウンロードコンテンツの自動取得を行わないようにするための解除操作についても合わせて表示する。すなわち、ダウンロード自動取得表示の表示期間中に、ユーザが例えば視聴番組を変更するチャネル切り替え操作を行った場合、ダウンロードコンテンツの自動取得を中止して、ユーザ操作にしたがう旨の表示を行う。
【００４１】
ステップＳＴ６で制御部３０は、自動取得の解除操作が行われたか否かを判別する。ここで、ダウンロード自動取得表示期間中にユーザ操作が行われていないときはステップＳＴ７に進む。また、自動取得の解除操作が行われたときはステップＳＴ１３に進む。自動取得の解除操作は、例えば自動取得を解除する機能を割り当てた操作キーを、ダウンロード自動取得表示で表示しておき、この操作キーが操作されたとき自動取得の解除操作が行われたものとして処理する。また、制御部３０は、編成チャネルのチャネル切替操作が行われたとき、チャネル切替操作後の放送コンテンツをユーザが視聴するものとして、自動取得の解除操作が行われたものとして処理する。
【００４２】
ステップＳＴ７で制御部３０は、ダウンロードコンテンツの取得が可能であるか否かを判別する。ここで、制御部３０は、チューナ部１１の選局周波数がダウンロードコンテンツの送出に用いられる周波数と異なるとき、ダウンロードコンテンツの取得ができないと判別してステップＳＴ８に進む。また、制御部３０は、チューナ部１１の選局周波数がダウンロードコンテンツの送出に用いられる周波数であるとき、ダウンロードコンテンツの取得が可能であると判別してステップＳＴ９に進む。
【００４３】
ステップＳＴ８で制御部３０は、選局周波数の切替処理を行い、放送受信動作中のチューナ部１１の選局周波数が、ダウンロードコンテンツの送出に用いられる周波数に切り替えられるように、制御信号ＣＴによってチューナ部１１の動作を制御してステップＳＴ９に進む。また、制御部３０は、映像提示処理部１５の動作を制御して表示装置の画面上にダウンロードコンテンツの取得中であることや、取得状況の経過を表示させる。なお、この表示は、ダウンロードコンテンツの送出が終了する時刻まで表示し続けても良い。
【００４４】
ステップＳＴ９で制御部３０は、選局周波数の切替操作が行われたか否かを判別する。制御部３０は、ユーザインタフェース部３１から供給された操作信号ＰＳが選局周波数の切替操作であるとき、すなわち操作信号ＰＳが編成チャネルの切り替え操作を示しており、切り替え後のチャネルの放送コンテンツを視聴するためにはチューナ部１１の選局周波数を切り替える必要があるときステップＳＴ１２に進む。また、制御部３０は、ユーザインタフェース部３１から操作信号ＰＳが供給されていないとき、またはユーザインタフェース部３１から供給された操作信号ＰＳが選局周波数の切替操作でないときステップＳＴ１０に進む。
【００４５】
ステップＳＴ１０で制御部３０は、ダウンロードコンテンツが取得可能であるか否かを判別する。制御部３０は、ダウンロードコンテンツの送出に用いられる周波数を選局中であるときダウンロードコンテンツが取得可能であると判別してステップＳＴ１１に進み、選局中でないときはダウンロードコンテンツを取得できないことからステップＳＴ１４に進む。
【００４６】
ステップＳＴ１１で制御部３０はダウンロード処理を行い、トランスポートストリームからダウンロードコンテンツのパケットをデマルチプレクサ１３で抽出して、この抽出したパケットに含まれているダウンロードコンテンツを不揮発性メモリ部３３ａに順次蓄積させる処理を行ってステップＳＴ１４に進む。
【００４７】
ステップＳＴ９でチャネル切替操作が行われてステップＳＴ１２に進むと、制御部３０は選局周波数の切替処理を行う。この選局周波数の切替処理では、ダウンロードコンテンツを抽出して不揮発性メモリ部３３ａに順次蓄積させる処理を行っているときは、この処理を中止する。また、この処理を中止したときは、ダウンロードコンテンツの取得中であることや、取得状況の経過を示す表示を終了する。その後、制御部３０はチャネル切替操作に応じて制御信号ＣＴを生成してチューナ部１１に供給することで、チューナ部１１の選局周波数をチャネル切替操作に応じた選局周波数に切り替えてステップＳＴ１３に進む。
【００４８】
ステップＳＴ１３で制御部３０は、ダウンロードコンテンツの取得が可能であるか否かを判別する。ここで、制御部３０は、チューナ部１１の選局周波数がダウンロードコンテンツの送出に用いられる周波数と異なるとき、ダウンロードコンテンツの取得ができないと判別してステップＳＴ１４に進む。また、制御部３０は、チューナ部１１の選局周波数がダウンロードコンテンツの送出に用いられる周波数であるとき、ダウンロードコンテンツの取得が可能であると判別してステップＳＴ１１に進む。
【００４９】
ステップＳＴ１４で制御部３０は、ダウンロードコンテンツの送出期間が終了したか否かを判別する。制御部３０は、時計部３２で示された現在時刻が、ＳＤＴＴで示された開始時刻から継続時間だけ経過した時刻（送出期間の終了時刻）となっていないときにはステップＳＴ９に戻り、送出期間の終了時刻以降となったときにはステップＳＴ１５に進む。
【００５０】
ステップＳＴ１５で制御部３０は、ダウンロードコンテンツが完結しているか否かを判別する。制御部３０は、不揮発性メモリ部３３ａに順次蓄積させたダウンロードコンテンツが完結していると判別したときステップＳＴ１６に進み、ダウンロードコンテンツが完結していないと判別したときステップＳＴ１７に進む。
【００５１】
ステップＳＴ１６で制御部３０は、ダウンロード完了処理を行ってステップＳＴ１８に進む。例えば、制御部３０は、ダウンロード完了処理として、ダウンロードコンテンツを用いてソフトウェアの更新・追加や全受信装置で共通に使用されるデータの更新等を行う。さらに制御部３０は、映像提示処理部１５の動作を制御して、表示装置１６の画面上にダウンロードが完了した旨の表示を行う。
【００５２】
ステップＳＴ１７で制御部３０は、ダウンロードスケジュール設定を行ってステップＳＴ１８に進む。このダウンロードスケジュール設定において、制御部３０は、ダウンロードコンテンツの不足しているデータを得るため、ＳＤＴＴの情報に基づき、次回のダウンロードコンテンツの送出タイミングを判別して、この送出タイミングに基づきステップＳＴ３からの処理を行うように設定する。また、ダウンロードスケジュールの設定を行ったときは、例えば次にダウンロードコンテンツの送出開始時刻や送出継続時間等を表示しても良い。
【００５３】
ステップＳＴ１８で制御部３０は、ダウンロードコンテンツの取得中に選局周波数の切り替えが行われているか否かを判別する。制御部３０は、ダウンロードコンテンツの取得中にステップＳＴ９で選局周波数の切替操作が行われて、ステップＳＴ１２で選局周波数の切替処理が行われたときはダウンロード動作を終了する。また、選局周波数の切り替えが行われていないときはステップＳＴ１９に進む。
【００５４】
ステップＳＴ１９で制御部３０は、選局周波数の復帰処理を行う。制御部３０は、ステップＳＴ８で選局周波数の切替処理を行い選局周波数をダウンロードコンテンツの送出が行われる周波数に自動的に切り替えている。したがって、ステップＳＴ１９では、自動的に切り替える前の選局周波数に復帰させてダウンロード動作を終了させる。すなわち、自動選局後に選局周波数の切替操作が行われていないときは、ダウンロードコンテンツの取得中にユーザの所望するチャネルへの切り替えが行われていないので、制御部３０は、選局周波数を自動選局前の周波数に戻して、ダウンロードコンテンツの取得を開始するときに視聴している編成チャネルの放送コンテンツを提示させてダウンロード動作を終了させる。
【００５５】
なお、上述の実施形態では、ダウンロードコンテンツの自動取得表示やダウンロードコンテンツの取得中である旨の表示、取得状況の経過を示す表示、ダウンロードが完了した旨の表示、ダウンロードスケジュールの設定を行ったときのスケジュール表示等を表示装置１６で表示するものとしたが、スピーカ１８から音声で通知を行うものとしても良い。また、放送コンテンツの映像表示を行う表示装置１６や音声提示を行うスピーカ１８が設けられていない放送受信装置、例えばセットトップボックスの場合には、放送受信装置に設けられている表示デバイス、例えば液晶表示素子や蛍光表示管あるいは発光ダイオード等を利用して表示を行うものとする。
【００５６】
このように、ディジタル放送を受信するチューナ部がひとつだけ設けられている放送受信装置を店舗等で動作させている場合でも、自動的にダウンロードコンテンツを取得できるので、このダウンロードコンテンツを用いてソフトウェアの更新・追加や全受信装置で共通に使用されるデータの更新等を行うことにより、不具合を有した状態や新たな機能が利用できない状態での展示が継続的に行われることがなく、販売店に不利益を被らせたり、放送受信装置に対するユーザの評価が低下してしまうことを防止できる。
【００５７】
なお、上述のダウンロードコンテンツの取得動作は、放送受信装置を販売するときに特別な操作を可能とする機能(店頭モード)でのみ動作可能とすれば、放送受信装置を購入したユーザが番組を視聴しているときに、自動的に選局周波数の切り替えが行われてしまうことを防止できる。また、店頭モードとされていないときは、従来と同様に例えばスタンバイ状態とされている期間中にダウンロードコンテンツを取得することで、自動的にソフトウェアの更新・追加や全受信装置で共通に使用されるデータの更新等を行うことができる。
【図面の簡単な説明】
【００５８】
【図１】放送受信装置の機能ブロック図である。
【図２】トランスポートストリームの構成を示す図である。
【図３】ＳＤＴＴの構成を示す図である。
【図４】ダウンロードコンテンツの取得動作（１／２）を示すフローチャートである。
【図５】ダウンロードコンテンツの取得動作（２／２）を示すフローチャートである。
【符号の説明】
【００５９】
１０・・・放送受信装置、１１・・・チューナ部、１２・・・復調部、１３・・・デマルチプレクサ、１４・・・デコーダ、１５・・・映像提示処理部、１６・・・表示装置、１７・・・音声出力処理部、１８・・・スピーカ、２０・・・バス、３０・・・制御部、３１・・・ユーザインタフェース部、３２・・・時計部、３３・・・メモリ部、３３ａ・・・不揮発性メモリ部、３３ｂ・・・揮発性メモリ部
【図１】
2008148231.tif 000003
【図２】
2008148231.tif 000004
【図３】
2008148231.tif 000005
【図４】
2008148231.tif 000006
【図５】
2008148231.tif 000007